(57)【要約】  無線基地局装置１は、ベースバンド処理カード１０，２０，３０，４０にそれぞれスイッチ処理部１２，２２，３２，４２を設けてベースバンド処理カード間でリングネットワークを形成する。このリングネットワーク間でデータを送受信し、各ベースバンド処理カード１０，２０，３０，４０内にそれぞれ含まれるベースバンド処理部１１，２１，３１，４１と無線送受信処理部１５，２５，３５，４５との対応関係を切り換えることで方路の制御を行なう。
2009078083.tif 000002
【特許請求の範囲】
【請求項１】
移動局と無線通信する１または複数の無線処理部に送受信信号のベースバンド処理を行なう１または複数のベースバンド処理ユニットを接続して前記移動局を通信ネットワークに接続する無線基地局装置であって、
前記ベースバンド処理ユニットは、
前記ベースバンド処理を行なうベースバンド処理部と、
他のベースバンド処理ユニットとの間でリングネットワークを形成し、前記ベースバンド処理部と前記無線処理部との対応関係を切り換えるスイッチ通信処理部と、
を備えたことを特徴とする無線基地局装置。
【請求項２】
前記ベースバンド処理ユニットは、前記スイッチ通信処理部による通信によって複数のベースバンド処理ユニット間で生じる位相ズレを補正する位相あわせ処理部をさらに備えたことを特徴とする請求項１に記載の無線基地局装置。
【請求項３】
前記スイッチ通信処理部は、宛先のベースバンド処理ユニットを示す宛先情報と送受信データの格納用のデータ領域とを有するフレームを送受信し、自ユニット宛のフレームにデータが格納されている場合には該データを取り出してデータ領域を空状態とし、データ領域が空状態で且つ他のベースバンド処理ユニットに送信すべきデータを保持している場合には該データを前記データ領域に格納して前記リングネットワークに流すことを特徴とする請求項１または２に記載の無線基地局装置。
【請求項４】
前記ベースバンド処理ユニットから前記フレームを受信して他のベースバンド処理ユニットに送信するダミーユニットをさらに備えたことを特徴とする請求項３に記載の無線基地局装置。
【請求項５】
移動局と無線通信する１または複数の無線処理部に接続され、送受信信号のベースバンド処理を行なうベースバンド処理装置であって、
前記ベースバンド処理を行なうベースバンド処理部と、
他のベースバンド処理部との間でリングネットワークを形成し、前記ベースバンド処理部と前記無線処理部との対応関係を切り換えるスイッチ通信処理部と、
を備えたことを特徴とするベースバンド処理装置。
【請求項６】
前記スイッチ通信処理部による通信によって複数のベースバンド処理装置間で生じる位相ズレを補正する位相あわせ処理部をさらに備えたことを特徴とする請求項５に記載のベースバンド処理装置。
【請求項７】
前記スイッチ通信処理部は、宛先のベースバンド処理装置を示す宛先情報と送受信データの格納用のデータ領域とを有するフレームを送受信し、自装置宛のフレームにデータが格納されている場合には該データを取り出してデータ領域を空状態とし、データ領域が空状態で且つ他のベースバンド処理装置に送信すべきデータを保持している場合には該データを前記データ領域に格納して前記リングネットワークに流すことを特徴とする請求項５または６に記載のベースバンド処理装置。
【請求項８】
移動局と無線通信する１または複数の無線処理部に送受信信号のベースバンド処理を行なう１または複数のベースバンド処理ユニットを接続して前記移動局を通信ネットワークに接続する無線基地局装置によるベースバンド処理方法であって、
前記ベースバンド処理ユニットに、
前記ベースバンド処理を行なうベースバンド処理ステップと、
他のベースバンド処理ユニットとの間でリングネットワークを形成し、前記ベースバンド処理部と前記無線処理部との対応関係を切り換えるスイッチ通信処理ステップと、
を実行させることを特徴とするベースバンド処理方法。
【請求項９】
前記ベースバンド処理ユニットに、前記スイッチ通信処理部による通信によって複数のベースバンド処理ユニット間で生じる位相ズレを補正する位相あわせ処理ステップをさらに実行させることを特徴とする請求項８に記載のベースバンド処理方法。
【請求項１０】
前記スイッチ通信処理ステップは、宛先のベースバンド処理ユニットを示す宛先情報と送受信データの格納用のデータ領域とを有するフレームを送受信し、自ユニット宛のフレームにデータが格納されている場合には該データを取り出してデータ領域を空状態とし、データ領域が空状態で且つ他のベースバンド処理ユニットに送信すべきデータを保持している場合には該データを前記データ領域に格納して前記リングネットワークに流すことを特徴とする請求項８または９に記載のベースバンド処理方法。
【発明の詳細な説明】
【技術分野】
【０００１】
本発明は、移動局を通信ネットワークに接続する無線基地局装置、無線基地局装置内でベースバンド処理を行なうベースバンド処理装置、および無線基地局装置におけるベースバンド処理方法に関するものである。
【背景技術】
【０００２】
従来、携帯電話端末などの移動局と無線通信し、移動局を通信ネットワークに接続する無線基地局装置が知られている（例えば特許文献１〜４参照。）。かかる従来の無線基地局装置の概要構成を図２５に示す。同図に示したように、従来の無線基地局装置１０１は、装置全体の動作を制御する主制御部１０２、通信ネットワークＮ１と接続する伝送インターフェース１０３、送受信する信号のベースバンド処理を行なうベースバンド処理部１０４、アンテナを介して移動局と無線通信する無線送受信処理部１３０を備える。【０００３】
また、ベースバンド部１０４は、複数枚のベースバンド処理カード１１０と１枚の方路制御処理カード１２０から構成されており、方路制御処理カード１２０においては、ベースバンド処理カード１１０で処理された信号を無線送受信処理部１３０に向けてどの方路に対して出力するかのスイッチングを行なっていた。【０００４】
【特許文献１】特開２００１−２１８２６０号公報
【特許文献２】特開２００３−９２１７号公報
【特許文献３】特許第３６１６５８２号公報
【特許文献４】特開２００４−３２６１０号公報
【発明の開示】
【発明が解決しようとする課題】
【０００５】
しかしながら、従来の構成では、ベースバンド処理カードを多数増設する必要がある場合（たとえばアンテナ数を増やし、処理量を増やしたい場合など）、方路制御処理カードでスイッチングできる入出力ポート数に制限があるため、容易にベースバンド処理カード及び無線送受信処理カードを増設することができないという問題点があった。また、増設数によっては、更に方路制御処理カードを開発しなければならないという問題点があった。【０００６】
このため、ベースバンド処理を担うユニット（上述の構成ではベースバンド処理カード）を簡易に増設することのできる拡張性の高い無線基地局装置の実現が重要な課題となっていた。【０００７】
本発明は、上述した従来技術における問題点を解消し、課題を解決するためになされたものであり、拡張性の高い無線基地局装置、ベースバンド処理装置、およびベースバンド処理方法を提供することを目的とする。
【課題を解決するための手段】
【０００８】
上述した課題を解決し、目的を達成するために、本無線基地局装置、本ベースバンド処理装置および本ベースバンド処理方法は、移動局と無線通信する１または複数の無線処理部に送受信信号のベースバンド処理を行なう１または複数のベースバンド処理ユニットを接続して前記移動局を通信ネットワークに接続する無線基地局装置において、前記ベースバンド処理ユニットが、前記ベースバンド処理を行なうとともに、他のベースバンド処理ユニットとの間でリングネットワークを形成し、前記ベースバンド処理部と前記無線処理部との対応関係を切り換えることを要件とする。【０００９】
また、本無線基地局装置、本ベースバンド処理装置および本ベースバンド処理方法は、上記装置および方法において、複数のベースバンド処理ユニット間の通信によって生じる位相ズレを補正することを要件とする。【００１０】
また、本無線基地局装置、本ベースバンド処理装置および本ベースバンド処理方法は、上記装置および方法において、宛先のベースバンド処理ユニットを示す宛先情報と送受信データの格納用のデータ領域とを有するフレームを送受信し、自ユニット宛のフレームにデータが格納されている場合には該データを取り出してデータ領域を空状態とし、データ領域が空状態で且つ他のベースバンド処理ユニットに送信すべきデータを保持している場合には該データを前記データ領域に格納して前記リングネットワークに流すことを要件とする。【００１１】
また、本無線基地局装置、本ベースバンド処理装置および本ベースバンド処理方法は、上記装置および方法において、前記ベースバンド処理ユニットから前記フレームを受信して他のベースバンド処理ユニットに送信するダミーユニットをさらに備えたことを要件とする。
【発明の効果】
【００１２】
本無線基地局装置、本ベースバンド処理装置および本ベースバンド処理方法によれば、ベースバンド処理ユニット同士で形成したリングネットワーク内での通信制御によって方路を形成するので、拡張性の高い無線基地局装置、ベースバンド処理装置およびベースバンド処理方法を得ることができるという効果を奏する。【００１３】
また、本無線基地局装置、本ベースバンド処理装置および本ベースバンド処理方法によれば、ベースバンド処理ユニット間の通信で発生した位相ズレを補正し、通信品質を確保しつつ拡張性を向上した無線基地局装置、ベースバンド処理装置およびベースバンド処理方法を得ることができるという効果を奏する。【００１４】
また、本無線基地局装置、本ベースバンド処理装置および本ベースバンド処理方法によれば、フレームの宛先制御とデータの挿排で方路の制御を実現するため、簡易な構成で拡張性の高い無線基地局装置、ベースバンド処理装置およびベースバンド処理方法を得ることができるという効果を奏する。【００１５】
また、本無線基地局装置、本ベースバンド処理装置および本ベースバンド処理方法によれば、一部にダミーカードを挿入してリングネットワークを形成するため、コストを抑制しつつ拡張性を向上した無線基地局装置、ベースバンド処理装置およびベースバンド処理方法を得ることができるという効果を奏する。
【図面の簡単な説明】
【００１６】
【図１】図１は、本実施例にかかる無線基地局装置の概要構成を示す概要構成図である。
【図２】図２は、ベースバンド部４の動作の概要を説明する説明図である。
【図３】図３は、ダミーカードを用いたベースバンド部構成について説明する説明図である。
【図４】図４は、ベースバンド処理カードが２枚の場合の全方路を示す図である。
【図５】図５は、２枚のベースバンド処理カードのスイッチ処理の一例を示す図である。
【図６】図６は、ベースバンド処理カードが３枚の場合の全方路を示す図である。
【図７】図７は、３枚のベースバンド処理カードのスイッチ処理の一例を示す図である。
【図８】図８は、ベースバンド処理カードが４枚の場合の全方路を示す図である。
【図９】図９は、４枚のベースバンド処理カードのスイッチ処理の一例を示す図である。
【図１０】図１０は、フレームフォーマットについて説明する説明図である。
【図１１】図１１は、無線基地局装置１の処理動作を説明するフローチャートである。
【図１２】図１２は、各ベースバンド処理カードにおける下り方向のスイッチ処理を説明するフローチャートである。
【図１３】図１３は、各ベースバンド処理カードにおける下り方向のスイッチ処理を説明するフローチャートである。
【図１４】図１４は、ベースバンド処理部１１と無線送受信処理部４５とを対応付けた方路を説明する説明図である。
【図１５】図１５は、図１４に示した方路のシーケンスを説明する説明図である。
【図１６】図１６は、無線送受信処理部への（下り方向の）スイッチ処理の具体例について説明する説明図である。
【図１７】図１７は、経路Ｒ１〜Ｒ４を流れる下り方向データのタイムチャートである。
【図１８】図１８は、ベースバンド処理カード４０の下りデータのスイッチ処理の詳細を説明する説明図である。
【図１９】図１９は、無線送受信処理部からの（上り方向の）スイッチ処理の具体例について説明する説明図である。
【図２０】図２０は、経路Ｒ１〜Ｒ４を流れる上り方向データのタイムチャートである。
【図２１】図２１は、ベースバンド処理カード１０の上りデータのスイッチ処理の詳細を説明する説明図である。
【図２２】図２２は、位相あわせについて説明する説明図である。
【図２３】図２３は、下り方向の位相あわせの具体例について説明する説明図である。
【図２４】図２４は、下り方向の位相あわせの具体例について説明する説明図である。
【図２５】図２５は、従来の無線基地局装置の概要構成を示す概要構成図である。
【符号の説明】
【００１７】
１，１０１  無線基地局装置
２，１０２  主制御部
３，１０３  伝送インターフェース
４，１０４  ベースバンド部
１０，２０，３０，４０，１１０  ベースバンド処理カード
１１，２１，３１，４１  ベースバンド処理部
１２，２２，３２，４２  スイッチ処理部
１３，２３，３３，４３  位相あわせ部
１４，２４，３４，４４  ＣＰＲＩフレーマ
１５，２５，３５，４５，１３０  無線送受信処理部
１６，２６，３６，４６  アンテナ
２０ａ，３０ａ，４０ａ  ダミーカード
１２０  方路制御処理カード
Ｎ１  通信ネットワーク
Ｒ１〜Ｒ４  経路
【発明を実施するための最良の形態】
【００１８】
以下に、本無線基地局装置、本ベースバンド処理装置および本ベースバンド処理方法の実施例を図面に基づいて詳細に説明する。
【実施例】
【００１９】
図１は、本実施例にかかる無線基地局装置の概要構成を示す概要構成図である。同図に示す様に、無線基地局装置１は、装置全体の動作を制御する主制御部２、通信ネットワークＮ１と接続する伝送インターフェース３、送受信する信号のベースバンド処理を行なうベースバンド処理部４、アンテナ１６，２６，３６，４６を介して移動局と無線通信する無線送受信処理部１５，２５，３５，４５を備える。【００２０】
ベースバンド部４は、ベースバンド処理ユニット（ベースバンド処理装置）として機能する複数枚のベースバンド処理カード１０，２０，３０，４０から構成されている。【００２１】
ベースバンド処理カード１０は、その内部に送受信する信号のベースバンド処理を行なうベースバンド処理部１１，２１，３１，４１、他のベースバンド処理カードと通信してリングネットワークを形成するスイッチ処理部１２，２２，３２，４２、ベースバンド処理カード間で生じる位相ズレを補正する位相あわせ部１３，２３，３３，４３、CPRI（Common  Public  Radio  Interface）に準拠して無線送受信処理部１５，２５，３５，４５が送受信する信号を処理するＣＰＲＩフレーマ１４，２４，３４，４４を有する。【００２２】
そして、ベースバンド処理部４は、図２に示すようにベースバンド処理カード１０，２０，３０，４０の間でデータを送受し、ベースバンド処理カード内でスイッチングすることで、従来構成のように方路制御処理カードを用いることなくベースバンド処理カードと無線送受信処理部との対応関係を切り換える。ここで、カード間のデータの送受信は、カード間をリング状に接続する構成とすることで、ベースバンド処理カードのみで増設が可能となる。【００２３】
また、装置構成にて今後増設予定または仕様上未使用である場合は、図３に示すようにダミーカードを使用しリングネットワークを構築しても良い。ここで、ダミーカード２０ａ，３０ａ，４０ａは、スイッチ処理は行わず、フレームをスルーするのみである。このようにダミーカードを用いて装置を構成することで、初期状態でのコストを下げつつ、拡張性を確保することが可能である。【００２４】
つづいて、ベースバンド処理カードの動作についてさらに説明する。ベースバンド処理カードの枚数がＮ枚、ベースバンド処理カード間の通信帯域をＡ、ベースバンド処理カードと無線送受信処理部との間の通信帯域をＢとすると、帯域Ａと帯域Ｂとの関係は、Ａ＝（Ｎ−１）×Ｂとなる。【００２５】
図４は、ベースバンド処理カードが２枚の場合の全方路を示す図である。同図では、無線送受信処理部に出力するデータをベースバンド処理カード間で右回りに受け渡し、無線送受信処理部から入力されるデータをベースバンド処理カード間で左回りに受け渡すものとしている。【００２６】
図４に示した２枚のベースバンド処理カードのスイッチ処理の一例として、例えば、ベースバンド処理部１１を無線送受信処理部２５に接続し、ベースバンド処理部２１を無線送受信処理カード１５に接続する場合、帯域Ａおよび帯域Ｂの使用状態は図５に示す様になり、スイッチ処理部１２とスイッチ処理部２２との間でデータが送受信されることとなる。【００２７】
図６は、ベースバンド処理カードが３枚の場合の全方路を示す図である。同図では、無線送受信処理部に出力するデータをベースバンド処理カード１０，２０，３０の間で右回りに受け渡し、無線送受信処理部から入力されるデータをベースバンド処理カード間で左回りに受け渡すものとしている。【００２８】
図６に示した３枚のベースバンド処理カードのスイッチ処理の一例として、例えば、ベースバンド処理部１１を無線送受信処理部３５に接続し、ベースバンド処理部２１を無線送受信処理カード１５に接続し、ベースバンド処理部３１を無線送受信処理部２５に接続する場合、帯域Ａおよび帯域Ｂの使用状態は図７に示す様になり、スイッチ処理部１２，２２，３２の間でデータが送受信されることとなる。【００２９】
図８は、ベースバンド処理カードが４枚の場合の全方路を示す図である。同図では、無線送受信処理部に出力するデータをベースバンド処理カード１０，２０，３０，４０の間で右回りに受け渡し、無線送受信処理部から入力されるデータをベースバンド処理カード間で左回りに受け渡すものとしている。【００３０】
図８に示した３枚のベースバンド処理カードのスイッチ処理の一例として、例えば、ベースバンド処理部１１を無線送受信処理部４５に接続し、ベースバンド処理部２１を無線送受信処理カード１５に接続し、ベースバンド処理部３１を無線送受信処理カード２５に接続し、ベースバンド処理部４１を無線送受信処理部４５に接続する場合、帯域Ａおよび帯域Ｂの使用状態は図９に示す様になり、スイッチ処理部１２，２２，３２，４２の間でデータが送受信されることとなる。【００３１】
図１０は、ベースバンド処理カード間で送受信されるフレームのフォーマットについて説明する説明図である。同図に示すように、無線送受信処理部に出力するためのデータを格納するフレームのフォーマットでは、フレームの先頭を示すビット列の次に、宛先であるベースバンド処理カードを示す宛先情報（カードＮｏ）と位相補正用の位相マーカー、連続するパケットを識別するシリアル番号、送信するデータを格納するデータ領域、パリティビットなどが続く。【００３２】
同様に、無線送受信処理部からベースバンド処理部に入力されるデータを格納するフレームのフォーマットでは、フレームの先頭を示すビット列の次に、宛先であるベースバンド処理カードを示す宛先情報（カードＮｏ）と連続するパケットを識別するシリアル番号、位相補正用の位相マーカー、受信したデータを格納するデータ領域、パリティビットなどが続く。【００３３】
このように、ベースバンド処理カード間における通信では、無線送受信処理カード側への出力フレーム及びベースバンド処理側への入力フレームフォーマットはともに、フレームをどのポートに出力をするか示す宛先情報をもち、その情報をもとに、出力先（スイッチング先）を判断している。【００３４】
つぎに本実施例にかかる無線基地局装置の処理動作について説明する。図１１は、無線基地局装置１の処理動作を説明するフローチャートである。同図に示すように、無線基地局装置１が立ち上げられると、まず主制御部２は、ベースバンド処理カードが何枚実装されているかを確認する（ステップＳ１０１）。このベースバンド処理カードの実装枚数確認は、具体的には各カードの実装情報を読み出すことで行なわれる。【００３５】
つぎに主制御部２は、対抗（ＣＰＲＩ）リングスイッチ方路の設定テーブルを引き、方路を決定する（ステップＳ１０２）。そして、ベースバンド処理カードのいずれかをマスターとして、マスターのベースバンド処理カードにデータ空、宛先空の基準フレームを作成させ（ステップＳ１０３）、各ベースバンド処理フレームにスイッチ処理を行なわせて（ステップＳ１０４）、処理を終了する。【００３６】
図１２は、各ベースバンド処理カードにおける下り（ベースバンド処理部から無線送受信処理部）方向のスイッチ処理を説明するフローチャートである。同図に示すように、ベースバンド処理カードは前ベースバンド処理カードからフレームを受信する（ステップＳ２０１）と、まずカードＮｏを確認し、自カード宛であるか否かを判定する（ステップＳ２０２）。【００３７】
その結果、自カード宛のフレームであった場合（ステップＳ２０２，Ｙｅｓ）、スイッチ処理部はフレームのデータ領域からデータを抽出し（ステップＳ２０３）、自カードの内部ＲＡＭに書き込んで（ステップＳ２０４）、カードＮｏをクリアする（ステップＳ２０５）。なお、スイッチ処理部は別のルーチンとして内部ＲＡＭが空であるか否かをチェックし（ステップＳ２２１）、空でない場合（ステップＳ２２１，Ｎｏ）には後段の位相あわせ部にデータを送る（ステップＳ２２２）処理フローを繰り返し実行している。【００３８】
一方、自カード宛のフレームではなかった場合（ステップＳ２０２，Ｎｏ）もしくはカードＮｏのクリア（ステップＳ２０５）の後、スイッチ処理部は宛先であるカードＮｏが空状態か否かを確認する（ステップＳ２０６）。そして、宛先が空である場合（ステップＳ２０６，Ｙｅｓ）、スイッチ処理部は自カードの内部ＲＡＭが空であるか否かを判定する（ステップＳ２０７）。ここでの内部ＲＡＭは、自カードのベースバンド処理部からデータを受信した（ステップＳ２３１）場合に書き込まれる（ステップＳ２３２）メモリであり、ステップ２０４で用いるＲＡＭとは分けておくことが望ましい。【００３９】
内部ＲＡＭが空でない場合（ステップＳ２０７，Ｙｅｓ）、スイッチ処理部は内部ＲＡＭのデータを読み出し（ステップＳ２０９）、読み出したデータをフレームのデータ領域に挿入する（ステップＳ２１０）とともに宛先Ｎｏを書き込む（ステップＳ２１１）。一方、内部ＲＡＭが空である場合（ステップＳ２０７，Ｙｅｓ）には、フレームのデータ領域を空のままとする（ステップＳ２０８）。【００４０】
そしてステップＳ２０８、ステップＳ２１１の終了後、もしくは宛先のカードＮｏが空でない場合（ステップＳ２０６，Ｎｏ）、次のベースバンド処理カードにフレームを送信し、再びステップＳ２０１に戻る。【００４１】
図１３は、各ベースバンド処理カードにおける上り（無線送受信処理部からベースバンド処理部）方向のスイッチ処理を説明するフローチャートである。同図に示すように、ベースバンド処理カードは前ベースバンド処理カードからフレームを受信する（ステップＳ３０１）と、まずカードＮｏを確認し、自カード宛であるか否かを判定する（ステップＳ３０２）。【００４２】
その結果、自カード宛のフレームであった場合（ステップＳ３０２，Ｙｅｓ）、スイッチ処理部はフレームのデータ領域からデータを抽出し（ステップＳ３０３）、自カードの内部ＲＡＭに書き込んで（ステップＳ３０４）、カードＮｏをクリアする（ステップＳ３０５）。なお、スイッチ処理部は別のルーチンとして内部ＲＡＭが空であるか否かをチェックし（ステップＳ３２１）、空でない場合（ステップＳ３２１，Ｎｏ）にはベースバンド処理部にデータを送る（ステップＳ３２２）処理フローを繰り返し実行している。【００４３】
一方、自カード宛のフレームではなかった場合（ステップＳ３０２，Ｎｏ）もしくはカードＮｏのクリア（ステップＳ３０５）の後、スイッチ処理部は宛先であるカードＮｏが空状態か否かを確認する（ステップＳ３０６）。そして、宛先が空である場合（ステップＳ３０６，Ｙｅｓ）、スイッチ処理部は自カードの内部ＲＡＭが空であるか否かを判定する（ステップＳ３０７）。ここでの内部ＲＡＭは、自カードの位置あわせ部からデータを受信した（ステップＳ３３１）場合に書き込まれる（ステップＳ３３２）メモリであり、ステップ３０４で用いるＲＡＭとは分けておくことが望ましい。【００４４】
内部ＲＡＭが空でない場合（ステップＳ３０７，Ｙｅｓ）、スイッチ処理部は内部ＲＡＭのデータを読み出し（ステップＳ３０９）、読み出したデータをフレームのデータ領域に挿入する（ステップＳ３１０）とともに宛先Ｎｏを書き込む（ステップＳ３１１）。一方、内部ＲＡＭが空である場合（ステップＳ３０７，Ｙｅｓ）には、フレームのデータ領域を空のままとする（ステップＳ３０８）。【００４５】
そしてステップＳ３０８、ステップＳ３１１の終了後、もしくは宛先のカードＮｏが空でない場合（ステップＳ３０６，Ｎｏ）、次のベースバンド処理カードにフレームを送信し、再びステップＳ３０１に戻る。【００４６】
図１４は、ベースバンド処理部１１が処理したデータがスイッチ処理部１２，２２，３２，４２によってベースバンド処理カード間を伝送されて無線送受信処理部４５から送信され、同じく無線送受信処理部４５が受信したデータがスイッチ処理部１２，２２，３２，４２によってベースバンド処理カード間を伝送されてベースバンド処理部１１に送られる場合の方路を示す図である。【００４７】
図１５は、図１４に示した方路を採用した場合のシーケンスを説明する説明図である。同図に示す様に、ベースバンド処理カード１０のベースバンド処理部１１はスイッチ処理部１２にデータを出力する。スイッチ処理部１１は、空フレームを確認し、フレームにデータを挿入して相手先のカードＮｏを付加してベースバンド処理カード２０のスイッチ処理部２２に送信する。【００４８】
スイッチ処理部２２は、宛先カードＮｏを読み出し、他カード宛であることを確認してそのままベースバンド処理カード３０のスイッチ処理部３２に転送する。同じく、スイッチ処理部３２は、宛先カードＮｏを確認し、他カード宛であるためにそのままベースバンド処理カード４０のスイッチ処理部４２に転送する。【００４９】
スイッチ処理部４２は、宛先カードＮｏを読みだし、自カード宛であることを確認して、フレームからデータを抽出し、宛先カードＮｏをクリアする。そしてスイッチ処理部４２は、フレームから抽出したデータを位相あわせ部４３に送信する。【００５０】
また、ベースバンド処理カードのスイッチ処理部４２は、位相あわせ部４３からデータを受信した場合に、空フレームを確認し、フレームにデータを挿入して相手先のカードＮｏを付加してベースバンド処理カード３０のスイッチ処理部３２に送信する。【００５１】
スイッチ処理部３２は、宛先カードＮｏを読み出し、他カード宛であることを確認してそのままベースバンド処理カード２０のスイッチ処理部２２に転送する。同じく、スイッチ処理部２２は、宛先カードＮｏを確認し、他カード宛であるためにそのままベースバンド処理カード１０のスイッチ処理部１２に転送する。【００５２】
スイッチ処理部１２は、宛先カードＮｏを読みだし、自カード宛であることを確認して、フレームからデータを抽出し、宛先カードＮｏをクリアする。そしてスイッチ処理部１２は、フレームから抽出したデータをベースバンド処理部１１に送信する。【００５３】
図１６は、無線送受信処理部への（下り方向の）スイッチ処理の具体例について説明する説明図である。同図に示す例では、ベースバンド処理部１１が無線送受信処理部４５にデータを送信し、ベースバンド処理部２１が無線送受信処理部１５にデータを送信し、ベースバンド処理部３１が無線送受信処理部２５にデータを送信し、ベースバンド処理部４１が無線送受信処理部３５にデータを送信している。【００５４】
ここで、スイッチ処理部１２とスイッチ処理部２２との間の通信経路Ｒ１には、ベースバンド処理部４１，３１，１１からのデータが流れることとなる。同様に、スイッチ処理部２２とスイッチ処理部３２との間の通信経路Ｒ２には、ベースバンド処理部４１，２１，１１からのデータが流れる。また、スイッチ処理部３２とスイッチ処理部４２との間の通信経路Ｒ３には、ベースバンド処理部３１，２１，１１からのデータが流れる。そして、スイッチ処理部４２とスイッチ処理部１２との間の通信経路Ｒ４には、ベースバンド処理部４１，３１，２１からのデータが流れる。【００５５】
経路Ｒ１〜Ｒ４を流れる下り方向データのタイムチャートを図１７に示す。同図に示すように、まず、経路Ｒ１にはベースバンド処理部１１のデータが、経路Ｒ２にはベースバンド処理部２１のデータが、経路Ｒ３にはベースバンド処理部３１のデータが、経路Ｒ４にはベースバンド処理部４１のデータが流れる。【００５６】
つぎに、各スイッチ処理部がデータを転送し、経路Ｒ１にはベースバンド処理部４１のデータが、経路Ｒ２にはベースバンド処理部１１のデータが、経路Ｒ３にはベースバンド処理部２１のデータが、経路Ｒ４にはベースバンド処理部３１のデータが流れる。さらに各スイッチ処理部がデータを転送し、経路Ｒ１にはベースバンド処理部３１のデータが、経路Ｒ２にはベースバンド処理部４１のデータが、経路Ｒ３にはベースバンド処理部１１のデータが、経路Ｒ４にはベースバンド処理部２１のデータが流れる。以上のタイムチャートが繰り返されることで、ベースバンド処理カード間で下りのリングネットワークが形成される。【００５７】
図１８は、ベースバンド処理カード４０の下りデータのスイッチ処理の詳細を説明する説明図である。同図に示す様にスイッチ処理部４２は、経路Ｒ３から取得したフレームのうち、自カード宛のデータ（ベースバンド処理部１１が処理したデータ）を抜きだして（自カード対象データＤＲＯＰ）、無線送受信処理部４５に出力する。このデータのＤＲＯＰによって発生した空フレームには、ベースバンド処理部４１が処理して得られたデータを挿入し、宛先をベースバンド処理カード３０にして経路Ｒ４に流す。【００５８】
図１９は、無線送受信処理部からの（上り方向の）スイッチ処理の具体例について説明する説明図である。同図に示す例では、無線送受信処理部１５がベースバンド処理部２１にデータを送信し、無線送受信処理部１５がベースバンド処理部３１にデータを送信し、無線送受信処理部２５がベースバンド処理部４１にデータを送信し、無線送受信処理部３５がベースバンド処理部１１にデータを送信している。【００５９】
ここで、スイッチ処理部１２とスイッチ処理部２２との間の通信経路Ｒ１には、無線送受信処理部２５，３５，４５からのデータが流れることとなる。同様に、スイッチ処理部２２とスイッチ処理部３２との間の通信経路Ｒ２には、無線送受信処理部１５，３５，４５からのデータが流れる。また、スイッチ処理部３２とスイッチ処理部４２との間の通信経路Ｒ３には、無線送受信処理部１５，２５，４５からのデータが流れる。そして、スイッチ処理部４２とスイッチ処理部１２との間の通信経路Ｒ４には、無線送受信処理部１５，２５，３５からのデータが流れる。【００６０】
経路Ｒ１〜Ｒ４を流れる上り方向データのタイムチャートを図２０に示す。同図に示すように、まず、経路Ｒ３には無線送受信処理部４５のデータが、経路Ｒ２には無線送受信処理部３５のデータが、経路Ｒ１には無線送受信処理部２５のデータが、経路Ｒ４には無線送受信処理部１５のデータが流れる。【００６１】
つぎに、各スイッチ処理部がデータを転送し、経路Ｒ３には無線送受信処理部１５のデータが、経路Ｒ２には無線送受信処理部４５のデータが、経路Ｒ１には無線送受信処理部３５のデータが、経路Ｒ４には無線送受信処理部２５のデータが流れる。さらに各スイッチ処理部がデータを転送し、経路Ｒ３には無線送受信処理部２５のデータが、経路Ｒ２には無線送受信処理部１５のデータが、経路Ｒ１には無線送受信処理部４５のデータが、経路Ｒ４には無線送受信処理部３５のデータが流れる。以上のタイムチャートが繰り返されることで、ベースバンド処理カード間で上りのリングネットワークが形成される。【００６２】
図２１は、ベースバンド処理カード１０の上りデータのスイッチ処理の詳細を説明する説明図である。同図に示す様にスイッチ処理部１２は、経路Ｒ１から取得したフレームのうち、自カード宛のデータ（無線送受信処理部４５からのデータ）を抜きだして（自カード対象データＤＲＯＰ）、ベースバンド処理部１１に出力する。このデータのＤＲＯＰによって発生した空フレームには、無線送受信処理部１５からのデータを挿入し、宛先をベースバンド処理カード２０にして経路Ｒ４に流す。【００６３】
さて、リング状に構成したベースバンド処理カード間で、フレームをスイッチングするため、スイッチング先によってはフレームの遅延量が異なることとなる。例えば図２２に示す様に、ベースバンド処理部１１と無線送受信処理部４５とを対応させ、ベースバンド処理部２１と無線送受信処理部２５とを対応させると、ベースフレーム処理カード間での通信が必要の無い組み合わせ（ベースバンド処理部２１と無線送受信処理部２５）に対し、複数のカードをまたぐ組み合わせ（ベースバンド処理部１１と無線送受信処理部４５）の遅延が大きくなる。【００６４】
そこで、無線基地局装置１では、ベースバンド処理部１１，２１，３１，４１と位相合わせ部１３，２３，３３，４３とで、下り/上りフレームに目印（位相マーカー）をつけ、ベースバンド処理部側および無線送受信処理部側に対して、各カードの出力フレームの位相合わせを行う。【００６５】
具体的には、主制御部２から各ベースバンド処理カードに対して基準パルスを与え、規準パルスに基づいて埋め込まれた目印（位相マーカー）のズレに基づいて位相ズレを補正する。【００６６】
例えば、下り方向では、図２３に示す様に、まず各ベースバンド処理カードに同時に基準パルスが与えられ、ベースバンド処理カード１０のベースバンド処理部１１とベースバンド処理カード２０のベースバンド処理部２１とがそれぞれの出力に同時に目印となる位相マーカー（下り基準信号）を付加して出力を行なう。【００６７】
その後、ベースバンド処理部１１の出力はカードをまたいでベースバンド処理カード４０のスイッチ処理部４２から出力されるが、ベースバンド処理部２１の出力は同カード内のスイッチ処理部２２から出力されるので、遅延量に差が生じる。そこで、位相合わせ部４３と位相合わせ部２３は、下り基準信号に基づいて、遅延量の大きい側に合わせるように位相を揃える事で、位相ズレを補正する。【００６８】
同様に、上り方向では、図２４に示す様に、まず各ベースバンド処理カードに同時に基準パルスが与えられ、ベースバンド処理カード４０の位相合わせ部４３とベースバンド処理カード２０の位相合わせ部２３が、それぞれのＣＰＲＩ側出力に同時に目印となる位相マーカー（上り基準信号）を付加する。【００６９】
ベースバンド処理カード４０のＣＰＲＩ側出力はカードをまたいでベースバンド処理カード１０のスイッチ処理部１２から出力されるが、ベースバンド処理カード２０のＣＰＲＩ側出力は同カード内のスイッチ処理部２２から出力されるので、遅延量に差が生じる。そこで、ベースバンド処理部１１とベースバンド処理部２１は、上り基準信号に基づいて、遅延量の大きい側に合わせるように位相を揃える事で、位相ズレを補正する。【００７０】
上述してきたように、本実施例にかかる無線基地局装置１は、ベースバンド処理カード１０，２０，３０，４０にそれぞれスイッチ処理部１２，２２，３２，４２を設けてベースバンド処理カード間でリングネットワークを形成する。そのため、ベースバンド処理カード間でフレームの送受信を行うことができ、そのフレーム送受信をもとに出力したいポートにデータを出力させることができる。【００７１】
したがって、従来の方路制御処理カードを用いたスイッチング方式のように路制御処理カードがもつ入出力ポート数に制限をうけず、またベースバンド処理カード内部の構成を変えることなく、アンテナ数、処理量を増やすことができる。【００７２】
さらに、従来技術の方路制御処理カードが不要となることによるコストダウン効果も実現できる。加えて、従来の方式では、未使用の光インターフェースでも、光モジュール等の高価な部品を搭載していたが、本発明では、使用している光インターフェースの数分だけ、光モジュール等の高価な部品を搭載することなり、この点についてもコストダウンの効果を得ることができる。
【産業上の利用可能性】
【００７３】
以上のように、本発明にかかる無線基地局装置、ベースバンド処理装置およびベースバンド処理方法は、無線基地局装置におけるベースバンド処理に有用であり、特に拡張性向上とコスト抑制に適している。
【図１】
2009078083.tif 000003
【図２】
2009078083.tif 000004
【図３】
2009078083.tif 000005
【図４】
2009078083.tif 000006
【図５】
2009078083.tif 000007
【図６】
2009078083.tif 000008
【図７】
2009078083.tif 000009
【図８】
2009078083.tif 000010
【図９】
2009078083.tif 000011
【図１０】
2009078083.tif 000012
【図１１】
2009078083.tif 000013
【図１２】
2009078083.tif 000014
【図１３】
2009078083.tif 000015
【図１４】
2009078083.tif 000016
【図１５】
2009078083.tif 000017
【図１６】
2009078083.tif 000018
【図１７】
2009078083.tif 000019
【図１８】
2009078083.tif 000020
【図１９】
2009078083.tif 000021
【図２０】
2009078083.tif 000022
【図２１】
2009078083.tif 000023
【図２２】
2009078083.tif 000024
【図２３】
2009078083.tif 000025
【図２４】
2009078083.tif 000026
【図２５】
2009078083.tif 000027
【国際調査報告】
2009078083.tif 000028
2009078083.tif 000029
2009078083.tif 000030
2009078083.tif 000031